(57)【要約】【課題】壁際等のフローリングを敷設する直前のフローリングを容易に手間がかからず短時間で移動させることができるフローリング施工用器具を提供することである。【解決手段】  壁際等の縦面に当接させる第一当接体と、前記第一当接体から延設された棒状体と、前記棒状体に対して相対的移動を可能とする筐体と、コイルばねにより前記棒状体に対して傾斜状態を保持させ、又は解除操作により略垂直になるように設けた押止片と、突起部と、係止用開口部又はコイルばねとの組み合わせにより略直角状態を保持することができ、互に逆方向の力を与えるコイルばねと、引金片又は突起部等との組み合わせにより前記棒状体に対して傾斜し、前記傾斜状態でかつ前記棒状体と固着状態でコイルばね又は引金片等により前方へスライドするように設けられた押進片と、フローリングの上面及び縦面に当接させる断面Ｌ字型の第二当接体と、を含むことによって課題を実現できた。【選択図】  図２
2013023908.tif 000002
【特許請求の範囲】
【請求項１】
壁面又は敷居に対してフローリングを移動させる器具であって、壁面又は敷居の縦面に当接させる第一当接体と、前記第一当接体から延設された棒状体と、前記棒状体を貫通させる貫通孔を設け、前記棒状体に対して相対的移動を可能とする筐体と、前記棒状体の外径よりも僅かに大きい貫通孔に前記棒状体を前記筐体内で貫通させた状態で、筐体に設けられた突起部を支点としてコイルばねにより前記棒状体に対して傾斜状態を保持させ、又は解除操作により前記棒状体に対して略直角になるように設けた押止片と、前記棒状体の外径よりも僅かに大きい貫通孔に前記棒状体を前記筐体内で貫通させた状態で、筐体に設けられた突起部と、係止用開口部又はコイルばねとの組み合わせにより略直角状態を保持することができ、コイルばねと筐体に設けられた突起部との組み合わせ、又は互に逆方向の力を与えるコイルばねと引金片等との組み合わせにより前記棒状体に対して傾斜し、前記傾斜状態でかつ前記棒状体と固着状態でコイルばね又は引金片等により前方へスライドするように設けられた押進片と、前記筐体の底面に設けた、フローリングの上面及び縦面に当接させる断面Ｌ字型の第二当接体と、を含むことを特徴とするフローリング施工用器具。
【請求項２】
前記第一当接体の形体が、先端部形状が縦方向平面状であって、正面視で同一高さで少なくとも左右２箇所の当接片、側面視で少なくとも上下２箇所の当接片となるようにした少なくとも３箇所の当接片からなる形体、又は先端部形状が敷居の上面及び縦面に当接するように断面Ｌ字型で幅広の当接片からなる形体であるとともに、かつ前記第一当接体と前記棒状体との接続部を着脱可能な連結構造としたことを特徴とする請求項１に記載のフローリング施工用器具。
【請求項３】
複数の当接片が当接片取付部に固設され一体化されている形体を有する第一当接体の場合における、第一当接体に配設された当接片取付部と、棒状体側に配設された基盤部との接続部の形体が、前記基盤部から前方に延設された棒体部にコイルばねを装着させ、さらに前記コイルばねの前方に前後方向に細長いスライド溝を形成し、前記スライド溝に前記当接片取付部に左右方向に突設された旋回スライドピンを嵌入させた形体を有しており、前記基盤部に対して前記当接片取付部が上下方向に旋回可能で前後方向にスライド可能することを特徴とする請求項１又は２に記載のフローリング施工用器具。
【請求項４】
複数の当接片が基盤部に対して個々に前後方向スライド可能としている形体を有する第一当接体の場合における、複数の当接片と基盤部との接続部の形体が、前記個々の当接片の後側に固設された柱状体又は筒状体が基盤部に設けられた穴を貫通し、前記当接片並びに柱状体又は筒状体が脱落しないように着脱可能なストッパー部を前記柱状体又は筒状体の端末部に設け、前記柱状体又は筒状体の外周部にコイルばねを配設させた形体をしており、前記基盤部に対して前記当接片が個々に前後方向でスライド可能することを特徴とする請求項１又は２に記載のフローリング施工用器具。
【発明の詳細な説明】
【技術分野】
【０００１】
本発明は、フローリング施工時に使用する機器に関するものであり、フローリングを床上に１列ずつ敷設してきて壁際や敷居際に敷設する最後の１〜２列のフローリングのみを未敷設の状態において、既敷設の最後の１列のフローリングをその前に敷設した１列のフローリングとの隙をなくし、正確に最後の１〜２列のフローリングを敷設する個所の幅寸法を図るために使用するフローリング施工用器具に関する。
【背景技術】
【０００２】
フローリング施工においては、例えば、最初の１列目の数枚のフローリングを室内の壁や敷居に当接させて敷設するが、このとき壁や敷居との隙を生じさせないように、かつきれいに一直線に数枚のフローリングを敷設するために、フローリングをゴムハンマーなどで叩いている。そして、１列目のフローリングを一直線に敷設した後は２列目のフローリングを敷いた後にゴムハンマーなどで叩いて、１列目のフローリングとの隙をなくし、かつ一直線に敷設する。その後３列目以降も同じ作業を繰り返す。
【０００３】
そして、フローリングを床上に１列ずつ敷設してきて壁際や敷居際に敷設する最後の１〜２列分のフローリングのみを未敷設の状態になったときにおいて、既敷設の最後の１列のフローリングをその前に敷設した１列のフローリングとの隙をなくすためにゴムハンマーで叩くが、前記フローリングと壁又は敷居との距離がフローリング１〜２枚の横幅に相当する間隔しかないため、ゴムハンマーで充分に叩くことができず、前記フローリングとその前の１列のフローリングとの隙をなくしたり、フローリングを一直線にすることが経験の浅い人には困難であり、熟練者でなければ狙いの出来栄えにすることができなかった。
【０００４】
また、フローリングと壁又は敷居との距離がフローリング１〜２枚の横幅に相当する間隔しかないため、フローリングを敷設する作業者は既設のフローリング上を歩かざるを得ない。このときに既設のフローリングが踏まれることによって若干ではあるが動いてしまい、ゴムハンマーで叩いて一直線にした既設フローリングの一直線が崩れ、フローリング間の隙が生じるという問題があった。
【０００５】
そこで、最後の１〜２列のフローリングが未敷設となった状態において、既設のうちの最後の１列のフローリングをその前の１列のフローリングに密着させる工具が開発されてきた。例えば、一端に座板が取付けられ、他端にスパナが固着されるボルトと、該ボルトに螺着したナットと、前記ボルトと略平行で座板側の一端が下方へ突設するように折曲された突出部を有しかつ前記ナットに固定された係止片を具備したフローリング組付け工具が開示されている（例えば特許文献１参照）。
【先行技術文献】
【特許文献】
【０００６】
【特許文献１】特開２０００−３２０１３０号公報
【発明の概要】
【発明が解決しようとする課題】
【０００７】
しかし、特許文献１に記載の発明では、既設の中で最後の１列のフローリングをその前に敷設した１列のフローリングと密着させるために、スパナをかけてねじ山を１山ずつ進めていかねばならないことから、２列のフローリング間の隙をなくすために作業時間がかかるという問題があった。また、元に戻すときもねじ山を１山ずつ戻すため作業時間がかかるという問題もあった。
【０００８】
また、壁や敷居に当接させるべき特許文献１の発明の座板（当接板）の下面高さが、フローリングの上面高さより高い。敷居の上面高さはフローリング上面高さと略同一のため、フローリング組付け工具の座板を敷居に当てることができない。このため、敷居の場合には特許文献１に記載の工具を使用できないという問題があり、敷居の場合には既敷設した最後の１列のフローリングとその前に敷設したフローリングとの間に隙をなくすことが困難で、フローリングを一直線に敷設できにくいという問題があった。
【０００９】
フローリング組付け工具を壁と既設フローリングとの間に設置していくが、フローリング組付け工具の壁に当接する部位（座板）が１箇所であるので、フローリング組付け工具を壁に対して安定して直角方向に設置しにくいという問題があった。このため、壁際のフローリングの寸法を正確には測定できないという問題があった。
【００１０】
壁の表面はやわらかい材質からできていることがあり、その場合に壁に当接する部位（座板）が壁に食い込み、くぼみができたり、穴があくことがあるという問題があった。また、壁が常に垂直な面のみからなるとは限らず、やや斜めになっている場合もあるので、壁に接する部位（座板）が片あたりすることがあり壁の表面にくぼみができたり傷がついたりすることがあるという問題があった。
【００１１】
そこで、本発明の目的は、壁及び敷居に対して使用でき、壁や敷居に当接する当接体と、既敷設の最後の１列のフローリングに当接する当接体との間隔を、容易に短時間で拡張でき又は縮小でき、壁又は敷居に対して安定して直角方向に設置でき、壁面にくぼみや穴等を形成させることもなく、熟練者でなくても既敷設の最後の１列のフローリングを固定させて壁際や敷居際に敷設するフローリングの幅を正確に測定することができるフローリング施工用器具を提供することである。
【課題を解決するための手段】
【００１２】
「発明が解決しようとする課題」に記載した課題を解決するために、請求項１に記載のフローリング施工用器具１の発明は、壁３１面又は敷居３２に対してフローリング３０を移動させる器具であって、壁３１面又は敷居３２の縦面に当接させる第一当接体２と、前記第一当接体２から延設された棒状体４と、前記棒状体４を貫通させる貫通孔を設け、前記棒状体４に対して相対的移動を可能とする筐体５と、前記棒状体４の外径よりも僅かに大きい貫通孔に前記棒状体４を前記筐体５内で貫通させた状態で、筐体５に設けられた突起部４０又は４３を支点としてコイルばね４５又は５０により前記棒状体４に対して傾斜状態を保持させ、又は解除操作により前記棒状体４に対して略直角になるように設けた押止片６と、前記棒状体４の外径よりも僅かに大きい貫通孔に前記棒状体４を前記筐体５内で貫通させた状態で、筐体５に設けられた突起部４１又は２６と、係止用開口部２７又はコイルばね４９との組み合わせにより略直角状態を保持することができ、コイルばね４６と筐体５に設けられた突起部４１との組み合わせ、又は互に逆方向の力を与えるコイルばね４９と引金片２５等との組み合わせにより前記棒状体４に対して傾斜し、前記傾斜状態でかつ前記棒状体と固着状態でコイルばね４６又は引金片２５等により前方へスライドするように設けられた押進片７と、前記筐体５の底面に設けた、フローリングの上面及び縦面に当接させる断面Ｌ字型の第二当接体３と、を含むことを特徴とする。
【００１３】
請求項２に記載のフローリング施工用器具１の発明は、請求項１において、前記第一当接体２の形体が、先端部形状が縦方向平面状であって、正面視で同一高さで少なくとも左右２箇所の当接片１０、１１、側面視で少なくとも上下２箇所の当接片１０又は１１、１２となるようにした少なくとも３箇所の当接片１０、１１、１２からなる形体、又は先端部形状が敷居３２の上面及び縦面に当接するように断面Ｌ字型で幅広の当接片１３からなる形体であるとともに、かつ前記第一当接体２と前記棒状体４との接続部を着脱可能な連結構造としたことを特徴とする。
【００１４】
請求項３に記載のフローリング施工用器具１の発明は、請求項１又は２において、複数の当接片１０、１１、１２が当接片取付部６０に固設され一体化されている形体を有する第一当接体２の場合における、第一当接体２に配設された当接片取付部６０と、棒状体側に配設された基盤部９との接続部の形体が、前記基盤部９から前方に延設された棒体部にコイルばね４７を装着させ、さらに前記コイルばね４７の前方に前後方向に細長いスライド溝６２を形成し、前記スライド溝６２に前記当接片取付部６０に左右方向に突設された旋回スライドピン６１を嵌入させた形体を有しており、前記基盤部９に対して前記当接片取付部６０が上下方向に旋回可能で前後方向にスライド可能することを特徴とする。
【００１５】
請求項４に記載のフローリング施工用器具１の発明は、請求項１又は２において、複数の当接片１０、１１又は１２が基盤部９に対して個々に前後方向スライド可能としている形体を有する第一当接体２の場合における、複数の当接片１０、１１，１２と基盤部９との接続部の形体が、前記個々の当接片１０、１１又は１２の後側に固設された柱状体又は筒状体６３が基盤部９に設けられた穴を貫通し、前記当接片１０、１１又は１２並びに柱状体又は筒状体６３が脱落しないように着脱可能なストッパー部６４を前記柱状体又は筒状体６３の端末部に設け、前記柱状体又は筒状体６３の外周部にコイルばね４８を配設させた形体をしており、前記基盤部９に対して前記当接片１０、１１又は１２が個々に前後方向でスライド可能することを特徴とする。
【発明の効果】
【００１６】
請求項１に記載の発明は、壁３１又は敷居３２からフローリング３０を離すために、かつ既敷設したフローリング３０間の隙をなくすために、壁３１又は敷居３２に当接する第一当接体２とフローリング３０に当接する第二当接体３間の間隔を拡張させる作業においてねじを回す作業に比べて、押当部２０を押したり、引き金のように突出した棒体を前後方向に１〜２回繰り返す作業であるので容易に前記間隔を拡張させることができ、フローリング施工用器具１を取り外すために第一当接体２と第二当接体３間の間隔を縮小させる作業においてワンタッチで係止状態を解除し一気に縮小させることができるという効果を奏する。
【００１７】
また、フローリング３０を壁３１や幅木よりも奥に敷設しなければならない場合は、ゴムハンマーではフローリング３０を叩いて寄せることはできないが、本発明であるフローリング施工用器具１はフローロング３０を寄せることができる。壁３１や幅木の下端とフローリング３０上面との隙は３〜５ｍｍしかないが、このような僅かな隙であっても、本発明のフローリング施工用器具１は第二当接体３の略Ｌ字型のツメの寸法や大きさを変えれば、前記壁３１や幅木の下端とフローリング３０上面間の隙から第二当接体３を挿入することができるからである。
【００１８】
請求項２に記載の発明は、請求項１と同じ効果を奏する。さらに、３点の当接片１０、１１、１２で壁３１面に当接させるので、フローリング施工用器具１を壁３１面に対して直角に位置決めさせることができ、また断面Ｌ字型の当接体で敷居３２の上面と縦面に当接させることができるのでフローリング施工用器具１を敷居３２に対して直角に位置決めさせることができるという効果を奏する。
【００１９】
また、第一当接体２を壁３１や敷居３２などの使用場所に応じて種々の型に容易に交換することができるという効果を奏する。
【００２０】
請求項３に記載の発明は、請求項１又は２の発明と同じ効果を奏する。さらに、１列に縦列に細長いフローリング３０を敷くときにフローリング間の縦方向の境界位置にフローリング施工用器具１を１台ずつ使用して１枚ずつ横方向の既敷設のフローリング３０との隙をなくして固定していくが、１列の縦方向の数枚を敷設したところまで進むと既に設置したフローリング施工用器具１と壁３１との隙やフローリング３０同士間の横方向の隙が僅かに生じることがある。そのときに、コイルばね４７、４８で壁３１にフローリング施工用器具１の第一当接体２を押し付けているので、フローリング施工用器具１と壁３１との隙やフローリング３０同士間の横方向の隙が僅かでも生じないという効果を奏する。
【００２１】
また、コイルばね４７を装着した、少なくとも３箇所からなる当接片１０、１１、１２で壁３１の表面に当接させるので、壁３１からフローリング３０を離すとともにフローリング間の隙をなくすためにフローリング３０にかかる力を分散させて、それぞれ均一な力で密着させることができるようになり、やわらかい材質からなる壁３１の表面に第一当接体２をソフトタッチで当接させることができ、壁３１の表面にくぼみや穴を形成させることがなくなった。さらに、コイルばね４７により当接片１０、１１、１２の面の位置や傾きが壁３１の表面の形状に合わせて追従できるので、垂直でない壁３１の表面にも当接片１０、１１、１２が片あたりすることもなく壁の表面に傷がつかないという効果を奏する。
【００２２】
請求項４に記載の発明は、請求項１乃至３のいずれかの発明と同じ効果を奏する。
【図面の簡単な説明】
【００２３】
【図１】本願発明の壁用の、第１の形体で一体型の第一当接体及び第１の形体を有する押進片及び押止片を有するフローリング施工用器具の平面概要図である。
【図２】本願発明の壁用の、第１の形体で一体型の第一当接体及び第１の形体を有する押進片及び押止片を有するフローリング施工用器具の側面概要図である（筐体内のみＡ−Ａ断面）。
【図３】本願発明の敷居用の、第２の形体の第一当接体及び第１の形体を有する押進片及び押止片を有するフローリング施工用器具の平面概要図である。
【図４】本願発明の敷居用の、第２の形体の第一当接体及び第１の形体を有する押進片及び押止片を有するフローリング施工用器具の側面概要図である（筐体内のみＢ−Ｂ断面）。
【図５】本願発明の壁用の、第１の形体で分離型の第一当接体及び第１の形体を有する押進片及び押止片を有するフローリング施工用器具の平面概要図である。
【図６】本願発明の壁用の、第１の形体で分離型の第一当接体及び第１の形体を有する押進片及び押止片を有するフローリング施工用器具の側面概要図である（筐体内のみＣ−Ｃ断面）。
【図７】本願発明の、第２の形体を有する押進片及び押止片を有するフローリング施工用器具の平面概要図である。
【図８】本願発明の、第２の形体を有する押進片及び押止片を有するフローリング施工用器具の側面概要図である（筐体内のみＤ−Ｄ断面）。
【図９】図２及び図８における第一当接体の当接体取付部の概要説明図である。
【図１０】図１、図２、図７及び図８における第一当接体の正面概要図である。
【図１１】（ａ）は押進片が係止用開口部に係止している状態、（ｂ）は押進片が傾斜した瞬間の状態、（ｃ）は押進片が棒状体と固着状態でスライドした状態の説明図である。
【図１２】（ａ）は本願発明の壁用の、第１の形体の分離型の第一当接体で第一当接体が押されてないときの概要説明図である。（ｂ）は本願発明の壁用の、第１の形体の分離型の第一当接体で第一当接体が押されているときの概要説明図である。
【発明を実施するための形態】
【００２４】
本発明であるフローリング施工用器具１は、壁３１面又は敷居３２に対して細長いフローリング３０を横方向に移動させる器具であって、壁３１面又は敷居３２の縦面に当接させる第一当接体２と、前記第一当接体２から延設された棒状体４と、前記棒状体４を貫通させる貫通孔を設け、前記棒状体４に対して相対的移動を可能とする筐体５と、前記棒状体４の外径よりも僅かに大きい貫通孔に前記棒状体４を前記筐体５内で貫通させた状態で、筐体５に設けられた突起部４０又は４３を支点としてコイルばね４５又は５０により前記棒状体４に対して傾斜状態を保持させ、又は解除操作により前記棒状体４に対して略直角になるように設けた押止片６と、前記棒状体４の外径よりも僅かに大きい貫通孔に前記棒状体４を前記筐体５内で貫通させた状態で、筐体５に設けられた突起部４１又は２６と、係止用開口部２７又はコイルばね４９との組み合わせにより略直角状態を保持することができ、コイルばね４６と筐体５に設けられた突起部４１との組み合わせ、又は互に逆方向の力を与えるコイルばね４９と引金片２５等との組み合わせにより前記棒状体４に対して傾斜し、前記傾斜状態でかつ前記棒状体と固着状態でコイルばね４６又は引金片２５等により前方へスライドするように設けられた押進片７と、前記筐体５の底面に設けた、フローリングの上面及び縦面に当接させる断面Ｌ字型の第二当接体３と、を含む構成要素からなる。以下に、それぞれの構成要素ごとに説明する。
【００２５】
壁３１面又は敷居３２の上面及び縦面に当接させる第一当接体２は、図１、図２、図５又は図６に示すように、壁３１面に当接させる場合の第１の形体と、図３や図４に示すように敷居３２の上面及び縦面に当接させる場合の第２の形体がある。壁３１面に当接させる場合の第１の形体は、先端部形状が縦方向平面状であって、図１０に示すように正面視で同一高さで少なくとも左右２箇所の当接片１０、１１、図２や図６に示すように側面視で少なくとも上下２箇所の当接片１０又は１１、１２となるようにした少なくとも３箇所の当接片１０、１１、１２からなる形体を含む構成要素からなる。そして、敷居３２に当接させる場合の第２の形体は、先端部形状が敷居３２の上面及び縦面に当接するように断面Ｌ字型で幅広の当接片１３からなる形体を含む構成要素からなる。
【００２６】
そして、壁３１に対して当接させる第１の形体の場合には、図１又は図２に示すように、複数の当接片１０、１１、１２が当接片取付部６０に固設され一体化されている形体を有する第一当接体２の場合と、図５又は図６に示すように、複数の当接片１０、１１，１２がそれぞれ分離していて基盤部９に対して個々に前後方向スライド可能としている形体を有する第一当接体２の場合とがある。
【００２７】
図９に示すように、複数の当接片１０、１１、１２が当接片取付部６０に固設され一体化されている形体を有する第一当接体２の場合における、第一当接体２に配設された当接片取付部６０と、棒状体側に配設された基盤部９との接続部であるスライド部５１の形体は、前記基盤部９から前方に延設された棒体部にコイルばね４７を装着させ、さらに前記コイルばね４７の前方に前後方向に細長いスライド溝６２を形成し、前記スライド溝６２に前記当接片取付部６０に左右方向に突設された旋回スライドピン６１を嵌入させた形体を有しており、前記基盤部９に対して前記当接片取付部６０が上下方向に旋回可能で前後方向にスライド可能で、左右方向に僅かに揺動することができる。ここで旋回スライドピン６１とスライド溝６２により、当接片取付部６０が基盤部９から脱落することは生じないし、前記当接片取付部６０の端面をコイルばね４７で押し付けられているので当接片取付部６０は垂れ下がることはない。
【００２８】
また、図５、図６又は図１２に示すように、複数の当接片１０、１１，１２が基盤部９に対して個々に前後方向スライド可能としている形体を有する第一当接体２の場合における、複数の当接片１０、１１，１２と基盤部９との接続部であるスライド部５２の形体は、前記個々の当接片１０、１１又は１２の後側に固設された柱状体又は筒状体６３が基盤部９に設けられた穴を貫通し、前記当接片１０、１１又は１２並びに柱状体又は筒状体６３が脱落しないように着脱可能なストッパー部６４を前記柱状体又は筒状体６３の端部に設け、前記柱状体又は筒状体６３の外周部にコイルばね４８を配設させた形体をしており、前記基盤部９に対して前記当接片１０、１１又は１２が個々に前後方向でスライド可能する。
【００２９】
ここで、柱状体又は筒状体６３の形体は、外形の断面が円形、楕円形、四角形、五角形などの多面形のいずれの形体でもよい。また、ストッパー６４は、前記柱状体又は筒状体６３の端部近くに溝を形成した場合には前記溝の嵌める環状ゴムや環状リング、又は前記柱状体又は筒状体６３の端部に螺刻した場合には螺子構造を有する環状リングなど前記柱状体又は筒状体６３の脱落防止となる形体であればいずれの形体でもよい。
【００３０】
図１２（ａ）は当接片１０、１１，１２が壁３１に当接していない場合を示しており、柱状体又は筒状体６３の外周全面にコイルばね４８が周設されている。一方、図１２（ｂ）は当接片１０、１１，１２が壁３１に当接してコイルばね４８が圧縮された場合を示しており、柱状体又は筒状体６３の一部が基盤部９の後方に突出している。これによって、当接片１０、１１，１２を個別に壁３１の面に追従して密着させることができる。
【００３１】
これにより、コイルばね４７又は４８を装着した、少なくとも３箇所からなる当接片１０、１１、１２で壁３１の表面に当接させるので、壁３１の表面に対して当接片１０、１１、１２を、壁３１からフローリング３０を離すためにフローリング３０にかかる力を分散させて、それぞれ均一な力で密着させることができるようになり、やわらかい材質からなる壁３１の表面に第一当接体２をソフトタッチで当接させることができ、壁３１の表面にくぼみや穴を形成させることがなくなった。
【００３２】
また、第一当接体２の基盤部９からの延設部及び棒状体４の先端部との連結部２１に螺子構造やクランプ構造などを用いた着脱可能な連結構造によって両者を固定するようにした。これによって、第一当接体２を棒状体４に対して着脱可能とすることができ、壁３１用の第一当接体２か敷居３２用の第一当接体２かを使用場所に応じて交換することが容易にできる。ここで、連結構造として、前記延設部や前記先端部に螺刻した構造、ボルトナットで両者を締結する構造、クランプ機構を用いて固定する構造など、第一当接体２の基盤部９からの延設部及び棒状体４の先端部とを連結可能な構造であればよい。
【００３３】
次に、第二当接体３は略平板状のものを折り曲げた断面Ｌ字型の形体であり、筐体５の底面に、筐体５を中心に左右にそれぞれ配設されている。第二当接体３は螺設構造や嵌め込み構造などにより筐体５に対して着脱可能に設けられており、フローリング３０に接する断面Ｌ字型の部分の前後方向の長さや縦方向の長さが異なる第二当接体３に容易に変えることができる。
【００３４】
また、第二当接体３を隣接する２つのフローリングに当接させて設置するときには、筐体５の前方でかつ左右の第二当接体３の間から、隣接する２つのフローリング同士の位置関係を目視で確認することができる。万一、左右の第二当接体３が、隣接するフローリングそれぞれと密着していない場合には隣接する２つのフローリング間で位置ズレが生じるので、前記位置ズレの有無を確認することによって、左右の第二当接体３を、隣接するフローリングそれぞれに確実に密着させることができる。さらに、前記断面Ｌ字型の部分のフローリング３０に接する側の面は、柔らかい素材を使用しており、フローリングの表面に傷などがつかないようにしている。
【００３５】
次に棒状体４は、壁等に当接する側に前記第一当接体２を螺設又は嵌め込み式等の締結構造で締結し、他端側に押当部２０を螺設構造や嵌め込み式など着脱可能な締結構造によって設けた一本の棒であり、棒状体４の断面形状は四角形や多角形などの角形、又は丸形などいずれの形体でもよい。そして、一端から他端の間で筐体５を移動させる。
【００３６】
ここで、押当部２０、押止片６、押進片７などから構成されるフローリング施工用器具１を使用するときの手順を記載する。まず、フローリング施工用器具１の第二当接体３をフローリング３０の上面と縦面に密着させ、次に押当部２０を押して第一当接体２を壁３１又は敷居３２に当て、第一当接体２に装着されたコイルばね４７を少し圧縮する程度まで押当部２０を押し、次に押進片７を１〜２回繰り返し操作をして第一当接体２を壁３１又は敷居３２に密着させる。
【００３７】
筐体５は、係止用開口部２７における押進片７の左右方向移動を可能とするために、前記棒状体４を貫通させる、棒状体４の外径よりも左右方向が僅かに大きい内径を有する貫通孔を前後の壁にそれぞれ設け、前記棒状体４に対して相対的移動を可能とさせる。そして、筐体５内には、前記棒状体４に対して相対的移動を制止させる押止片６と、前記棒状体４に対して相対的移動をさせる押進片７とを含む構成要素が内設され、筐体５の上面には図１等に示すような押止片６の移動用の開口部、及び押進片７の係止用開口部２７やスライド用開口部２８、又は図８に示すような引金片２５の移動用の開口部が設けられている。
【００３８】
また、図２に示すように、軸状の突起部４０、及び押進片７の軸ピンの外径よりも大きい断面楕円状の内径を有する筒状の突起部４１が筐体５の内部に突設され、図８に示すように突起部２２、２６、４２、４３及び４４が筐体５の内部に突設されており、突起部２２、２６には棒状体４を貫通させる貫通穴が設けられている。
【００３９】
棒状体４に対して筐体５の相対的移動を制止させる押止片６は、棒状体４の外径よりも僅かに大きい貫通孔が設けられ前記棒状体４を前記筐体５内で貫通させた状態で、筐体５に設けられた突起部４０を支点としてコイルばね４５により前記棒状体４に対して傾斜状態を保持させ、かつ解除操作により前記棒状体４に対して略直角になるように設けられている。
【００４０】
押止片６の第１の形体としては、図２又は図４に示すように、棒状体４の外径よりも僅かに大きい貫通孔に棒状体４を貫通させ、筐体５に設けられた突起部４０に押止片６の下端に設けた穴を嵌設させて押止片６の回転自在の支点とし、上端は筐体５の上方に突出させて手指で棒状体４に対して前後方向に動くようにし、貫通孔と上端との間に圧縮コイルばね４５を装着させ、圧縮コイルばね４５により押止片６を棒状体４に押し付けている。第１の形体の場合は押止片６は解除機能も有している。
【００４１】
押止片６を手指で操作していないときは、押止片６は圧縮コイルばね４５により棒状体４に対して傾斜状態となる。棒状体４の外径よりも押止片６の貫通孔の内径を０．０１ｍｍから２ｍｍ大きくしているので、傾斜状態では押止片６の貫通孔の内縁部が棒状体４の外周部に押し付けられており、この状態では筐体５は、棒状体４に対して、押当部２０側には移動できるが第一当接体２側には移動できない。これによりフローリング３０を移動させ他のフローリング３０と隙をなくした状態を容易には動かないようにできフローリング３０の位置を保持することができる。
【００４２】
一方、押止片６を手指で圧縮コイルばね４５を圧縮させる方向に力を加えその状態を維持すると、押止片６は棒状体４に対して略垂直方向の状態になるので、押止片６の貫通孔と棒状体４の外径との間に隙が生じるので、棒状体４に対して筐体５を前後方向に自在にスライドさせることができる。
【００４３】
また、図１乃至図６に示すように、フローリング施工用器具１を壁３１又は敷居３２とフローリング３０との間に介挿し、フローリング３０に第二当接体３を密着させ、その後に壁３１又は敷居３２に第一当接体２を当てたいときは、棒状体４の他端に押当部２０を装着しておけば、押当部２０を押すことによって容易にスライドさせて壁３１又は敷居３２に密着させることができる。
【００４４】
図８に押止片６の第２の形体を示す。押止片６は１枚からなる平板状の形体をしており、前記平板の略中央部に棒状体４を貫通させる貫通穴を設けている。そして、押止片６の第一当接体２側は突起部２６に当接したコイルばね５０と接し、押当部２０側の下端部は突起部４３に当接され、押止片６の上端部はフリー状態にしている。
【００４５】
そして、棒状体４の上方で、前記圧縮コイルばね５０とは押止片６に対して反対側に設けられた解除片８が手指で押し込まれたときに、解除片８の先端が押止片６の上部に当り押止片６の上部を押し込むように配設しておく。第２の形体の場合は押止片６と解除片８とは別物という構成になる。
【００４６】
解除片８を手指で操作していないときは、押止片６は圧縮コイルばね５０及び突起部４３により棒状体４に対して傾斜状態となる。棒状体４の外径よりも押止片６の貫通孔の内径を０．０１ｍｍから３ｍｍ大きくしているので、傾斜状態では押止片６の貫通孔の内縁部が棒状体４の外周部に押し付けられており、この状態では筐体５は、棒状体４に対して、押当部２０側には移動できるが第一当接体２側には移動できない。これによりフローリング３０を移動させ他のフローリング３０と隙をなくした状態を容易には動かないようにできフローリング３０の位置を保持することができる。
【００４７】
一方、解除片８を手指で圧縮コイルばね５０を圧縮させる方向に力を加えその状態を維持すると、押止片６は棒状体４に対して略垂直方向の状態になるので、押止片６の貫通孔と棒状体４の外径との間に隙が生じるので、棒状体４に対して筐体５を前後方向に自在にスライドさせることができる。
【００４８】
また、図７及び図８に示すように、フローリング施工用器具１を壁３１又は敷居３２とフローリング３０との間に介挿し、フローリング３０に第二当接体３を密着させ、その後に壁３１又は敷居３２に第一当接体２を当てたいときは、棒状体４の他端に押当部２０を装着しておけば、押当部２０を押すことにより容易にスライドさせて第一当接体２と第二当接体３との間隔を拡張させることができ、フローリング３０と壁３１や敷居３２との間隔を拡張させることができる。
【００４９】
次に、図２、図４又は図８に示すように、棒状体４に対して相対的移動をさせる押進片７は、棒状体４の外径よりも僅かに大きい貫通孔に前記棒状体４を前記筐体５内で貫通させた状態で、筐体５に設けられた突起部４１又は４２を支点としてコイルばね４６又は４９により前記棒状体４に対して略直角状態を保持させ、かつ傾斜化操作により前記棒状体４に対して傾斜するように設けられている。
【００５０】
押進片７の第１の形体としては、図２又は図４に示すように、棒状体４の外径よりも僅かに大きい貫通孔に棒状体４を貫通させ、筐体５内で棒状体４より下方に設けられた突起部４１の断面楕円状の筒状の内部に押進片７の下端に設けた軸ピンを挿設させて前記軸ピンを前記筒状内部でスライド可能とし、上端は筐体５の上方に突出させて手指で棒状体４の前後方向に動くようにし、貫通孔と上端との間に圧縮コイルばね４６を装着させる。また、押進片７を押し下げる方向に外力が加わるように、押進片７と筐体５とを連結するコイルばね（図なし）を配設してもよい。
【００５１】
また、前記軸ピンの外面と前記楕円状の筒状に内壁との隙があるので押進片７を左右方向にも振らせることができるので、押進片７の上端部を係止用開口部２７に係止させることができる。第１の形体は、押進体７自体を直接に棒状体４の前後方向に動くようにでき押進体７を傾斜させる。
【００５２】
押進片７を手指で操作していないときは、図１、図２又は図１１（ａ）に示すように、押進片７は係止用開口部２７に係止され棒状体４に対して略垂直状態となる。棒状体４の外径よりも押進片７の貫通孔の内径を０．０１ｍｍから３ｍｍ大きくしているので、略垂直状態では押進片７の貫通孔の内縁部と棒状体４の外周部との間には隙が生じるため、押進片７から棒状体４に対して外力が加わることはない。このため棒状体４に対する筐体５の相対的位置は変わらない状態になる。
【００５３】
一方、図３、図４又は図１１（ｂ）に示すように、押進片７を手指で係止用開口部２７からスライド用開口部２８に横方向に移動させると、コイルばね４６によって押進片７の上部が前方に押し出され、押進片７が棒状体４に対して傾斜状態になり、押進片７の貫通孔の内縁部が棒状体４の外周部に押し付けられた状態となる。この状態のままで、さらにコイルばね４６によって押されることにより、図１１（ｃ）に示すように、押進片７が棒状体４と固着状態となって筐体５に対して相対的に移動する。なお、押進片７を押し下げるためのコイルばねを配設した場合には、前記コイルばねが押進片７の傾斜化をよりスムースに行う方向に寄与する。
【００５４】
これにより、棒状体４と固着状態になった第一当接体２と、筐体５に固着されている第二当接体３との間隔を拡張させることができる。押進片７のスライド用開口部２８内における前後方向の移動を１〜２回行うことにより、第一当接体２と第二当接体３との間隔を拡張させて、壁３１又は敷居３２からフローリング３０を離すことができ、既敷設したフローリング３０間の隙をなくすことができ、フローリング３０を壁３１や敷居３２に対して固定させることができる。これにより、フローリング３０上を人が歩いても既敷設したフローリング３０が動くことがなくなる。
【００５５】
図８に押進片７の第２の形体を示す。押進片７は１枚又は２枚積層構造からなる平板状の形体をしており、前記平板の略中央部に棒状体４を貫通させる貫通穴を設けている。そして、押進片７の第一当接体２側は突起部２２に当接したコイルばね４９と接し、押当部２０側は突起部２６に当接されている。押進片７の押当部２０側の下端部は突起部４２に当接し、上端部はフリー状態にしておく。
【００５６】
そして、引金片２５は棒状の形体をしており、突起部４４を支点として下端部が旋回して押進片７の上部を押すように配設されている。第２の形体の場合は、押進片７は引金片２５からの押す力を受けて棒状体４に対して傾斜する。
【００５７】
押進片７に引金片２５からの押す力が負荷されていないときは、押進片７は突起部２６と圧縮コイルばね４９より挟まれた状態で棒状体４に対して略垂直状態となる。棒状体４の外径よりも押進片７の貫通孔の内径を０．０１ｍｍから２ｍｍ大きくしているので、略垂直状態では押進片７の貫通孔の内縁部と棒状体４の外周部との間には隙が生じるため、押進片７から棒状体４に対して外力が加わることはない。このため棒状体４に対する筐体５の相対的位置は変わらない状態になる。
【００５８】
一方、引金片２５を手指で圧縮コイルばね４９を圧縮させる方向に力を加えると、押進片７の下端が突起部４２に当接して、押進片７が棒状体４に対して傾斜状態になり、押進片７の貫通孔の内縁部が棒状体４の外周部に押し付けられ、押圧した状態でさらに押すことにより、押進片７によって筐体５が棒状体４に対して相対的に移動する。
【００５９】
この引金片２５の前後方向の操作を１〜２回行うことにより、第一当接体２と第二当接体３との間隔を拡張させてことができ、壁３１又は敷居３２からフローリング３０を離すことができ、既敷設したフローリング３０間の隙をなくすことができ、フローリング３０を壁３１や敷居３２に対して固定させることができる。これにより、フローリング３０上を人が歩いても既敷設したフローリング３０が動くことがなくなる。
【符号の説明】
【００６０】
１      フローリング施工用器具
２      第一当接体
３      第二当接体
４      棒状体
５      筐体
６      押止片
７      押進片
８      解除片
９      基盤部
１０    当接片
１１    当接片
１２    当接片
１３    当接片
２０    押当部
２１    連結部
２２    突起部
２５    引金片
２６    突起部
２７    係止用開口部
２８    スライド用開口部
３０    フローリング
３１    壁
３２    敷居
４０    突起部
４１    突起部
４２    突起部
４３    突起部
４４    突起部
４５    コイルばね
４６    コイルばね
４７    コイルばね
４８    コイルばね
４９    コイルばね
５０    コイルばね
５１    スライド部
５２    スライド部
６０    当接片取付部
６１    旋回スライドピン
６２    スライド溝
６３    柱状体又は筒状体
６４    ストッパー部
【図１】
2013023908.tif 000003
【図２】
2013023908.tif 000004
【図３】
2013023908.tif 000005
【図４】
2013023908.tif 000006
【図５】
2013023908.tif 000007
【図６】
2013023908.tif 000008
【図７】
2013023908.tif 000009
【図８】
2013023908.tif 000010
【図９】
2013023908.tif 000011
【図１０】
2013023908.tif 000012
【図１１】
2013023908.tif 000013
【図１２】
2013023908.tif 000014